(57)【要約】      （修正有）【課題】刃先がすり減っても草掻きの機能を損なうことなく、またでこぼこ地面や畝間などＵ字となった地面に対しても作業性良くかつ軽作業で行える草掻きを提供する。【解決手段】柄３の先端に刃板を備えた草掻きであって、刃板の刃部２ａには鋸状台形切り刃２ｂを所定間隔で全幅にわたり形成し、刃板の面の形状は左右中央部から均等振り分けで刃部全幅の３０％乃至５０％の範囲をフラット面２ｃとし、またフラット面の左右境界より両端までを柄側を内面とする円柱面２ｄとし、刃部には柄の手元側に設けた遠隔操作手段により作動するスクレーパ４ｇを有するスクレーパ装置を設けた。【選択図】図３
0003220058.tif 000002
【実用新案登録請求の範囲】
【請求項１】
柄の先端に刃板を備えた草掻きであって、前記刃板の刃部には鋸状の台形切り刃を所定間隔で前幅にわたり形成し、前記刃板の面の形状は左右中央部から均等振り分けで刃部前幅の３０％乃至５０％の範囲をフラット面とし、また前記フラット面の左右境界より両端面までを柄側を内面とする円柱面としたことを特徴とする草掻き。
【請求項２】
草掻きの柄の先端部に、草掻き作業の際に刃部や切り刃に付着した泥や草の根を除法するため刃部面に密着して上下摺動するスクレ−パを備えたスクレーパ装置を設け、前記スクレーパの上下摺動は柄の手元側に設けた遠隔操作手段により行われることを特徴とする請求項１記載の草掻き。
【請求項３】
請求項２記載のスクレーパ装置は、柄の先端部分に取り付け固定された支点支持金具と、前記支点支持金具の左右の支点にそれぞれ回動自在に取り付けられたＬ字型板ばねと、上部前記Ｌ字型板ばねの水平部に前記左右の支点から所定距離の位置に上方にアーチ状に連結された力点アーチ金具と、前記Ｌ字型板ばねの下端に固定され左右のＬ字型板ばねにより刃板に押力を付与された刃部全幅と同一長さのスクレーパとにより構成され、前記スクレーパの上下摺動は前記力点アーチ金具の頂上部の上下変位により行われることを特徴とする草掻き。
【請求項４】
請求項２記載の遠隔操作手段は、柄の手元側に取り付け固定されたワイヤーレバーと、前記ワイヤーレバーから力点アーチ金具の頂上部までを接続したワイヤーチューブと、前記力点アーチ金具の頂上部内側と柄の間にワイヤーを貫通させて挿設したスプリングとにより構成され、前記ワイヤーチューブ内のワイヤーの両端は前記ワイヤーレバー側と柄側にそれぞれ係止され、前記ワイヤーレバーの作動に対応して前記力点アーチ金具の頂上部の上下変位を行わせることを特徴とする草掻き。
【考案の詳細な説明】
【技術分野】
【０００１】  本考案は、畑や庭などに生えた草を削り取るために用いる草掻きに関する。
【背景技術】
【０００２】  従来の草掻きは、例えば特許文献１に示すように地面に接する部分を、包丁のような刃にして草を削り取っていた。
【先行技術文献】
【特許文献】
【０００３】
【特許文献１】実用新案登録台３１６７３７３号  公報
【特許文献２】特開２００４−３３０４０号  公報
【考案の概要】
【考案が解決しようとする課題】
【０００４】  上述した、草掻きの刃は最初よく削れるが、土の中に石など硬い物質がたくさんあるため、刃先が徐々にすり減り鋭利でなくなるため草の上を滑って削り難くなる。また、刃が地面と平行にまっすぐになった刃は、でこぼこの地面や、畝間などＵ字になった地面に対して刃の両端近くの草は取れるが中ほどの草は取り難い。特許文献２に示すように草掻きの刃部に複数の掻き刃を形成したものが存在するが、この掻き刃部はフラット面であくまで補助的に使用されるものに過ぎない。
また、雨上がりや湿り気の多い地面の草取りのときに、引いたり押したりを１０回もくり返さないうちに、草掻きの刃部の周辺に泥が付着し、その泥に繊維状の根が混じり刃に被さって草が削り難くなり作業性が悪かった。【０００５】  本考案は、上記課題を解決するため作業性良くかつ軽作業で行うことができる草掻きの提供を目的とする
【課題を解決するための手段】
【０００６】  上記目的を達成するための本考案の雑草取り具は、柄の先端に刃板を備えた草掻きであって、前記刃板の刃部には鋸状の台形切り刃を所定間隔で前幅にわたり形成し、前記刃板の面の形状は左右中央部から均等振り分けで刃部前幅の３０％乃至５０％の範囲をフラット面とし、また前記フラット面の左右境界より両端面までを柄側を内面とする円柱面とし、前記刃部には柄の手元側に設けた遠隔操作手段により作動するスクレーパ装置を設けたことを特徴としている。
【考案の効果】
【０００７】  本考案の草掻きを使用すれば、長期間の使用により刃先がすり減っても鋸状の台形切り刃のため草根をしっかり捉えて根ごと容易に抜くことができる。また、刃板の面をフラット面と円柱面の組み合わせ形状としているため、でこぼこ地面や畝間などＵ字になった地面に対して作業性良く、かつ効率よく草掻き作業を行うことができる。
更に、請求項２記載のように、刃先面にスクレーパを密着して設け、このスクレーパの上下摺動を柄の手元側の遠隔操作手段により行えるようにしているため草掻き作業の体制で刃先に付着した泥や草根の除法を容易に行うことができる。
【図面の簡単な説明】
【０００８】
【図１】本考案に係る草掻きの全体側面図を示す
【図２】本考案に係る草掻きに使用する刃板の単体を示す図で、（ａ）は正面図、（ｂ）は平面図を示す
【図３】本考案に係る草掻きに取り付けたスクレーパ装置の斜視図を示す。
【図４】本考案に係る草掻きの柄の手元側に取り付けたワイヤーレバーとその周辺を示す。
【考案を実施するための形態】
【０００９】  以下、本考案に係る草掻き実施の形態について、図１乃至図４に基づいて説明する。
【００１０】  実施の形態１
本考案の草掻きは、包丁の刃のようになった刃に鋸歯のように６ミリ位の間隔で刃先を１，５ミリ位残して幅約４，５ミリ位で徐々に狭くして深さ１１ミリ位切り取る、この刃先に草の根が刺さり、徐々に狭くなった狭間に挟まりがっちりとらえて根っこから効率よく草がとれ、刺さり挟まった草は草掻き１を地面に押しつけて後方に押すと外れる、それだけよけいに引く力がいるため、従来の草掻きの刃渡りより２割位短くして、柄３の角度はフラット面２ｃに約６０度位で柄３の長さは約１，６００ミリ位にする。
【００１１】  実施の形態２
刃板２の両端から５０ミリ位を内側に、１００ミリ位のＲ円柱面２ｄに両端を曲げることで、草掻き１を使うとき刃板２と地面との角度で、台形切り刃２ｂの先端が地面から徐々に上がり両端で７〜８ミリ位い上がるため、でこぼこ地面や畝間のＵ地面に沿って草取りが容易にできる、また、鋼材が薄くても曲げているため強度がつき軽量化できる。
【００１２】    実施の形態３
台形切り刃２ｂに泥や根がかぶさる湿った地面では、図３と図４に示す柄３を握った手元のワイヤーレバー５ａを握るとワイヤー５ｄの先端が柄３に固定されている、ワイヤー５ｄが引っ張られてその間のワイヤーチューブ５ｃがスプリング４ｆに逆らって、力点アーチ金具４ｄを抑えて作用点スクレーパ４ｇが台形切り刃２ｂの方に動いて、泥と混じった草の根を削り落して握ったワイヤーレバー５ａを放すと、スプリング４ｆで元に戻り手元のワイヤーレバー５ａで遠隔操作が出来て、効率よく草取りができる。
【符号の説明】
【００１３】１      草掻き
２      刃板
２ａ    刃部
２ｂ    台形切り刃
２ｃ    フラット面
２ｄ    円柱面
３      柄
４      スクレーパ装置
４ａ    支点金具
４ｂ    支点
４ｃ    Ｌ字型板ばね
４ｄ    力点アーチ金具
４ｅ    力点アーチ金具頂上部
４ｆ    スプリング
４ｇ    スクレーパ
５      遠隔操作手段
５ａ    ワイヤーレバー
５ｂ    ワイヤーレバー固定金具
５ｃ    ワイヤーチューブ
５ｄ    ワイヤー
【図１】
0003220058.tif 000003
【図２】
0003220058.tif 000004
【図３】
0003220058.tif 000005
【図４】
0003220058.tif 000006
【手続補正書】
【提出日】平成30年11月15日(2018.11.15)
【手続補正１】
【補正対象書類名】実用新案登録請求の範囲
【補正対象項目名】全文
【補正方法】変更
【補正の内容】
【実用新案登録請求の範囲】
【請求項１】
柄の先端に刃板を備えた草掻きであって、前記刃板の刃部には鋸状の台形切り刃を所定間隔で全幅にわたり形成し、前記刃板の面の形状は左右中央部から均等振り分けで刃部全幅の３０％乃至５０％の範囲をフラット面とし、また前記フラット面の左右境界より両端面までを柄側を内面とする円柱面としたことを特徴とする草掻き。
【請求項２】
草掻きの柄の先端（部）に、草掻き作業の際に刃部や切り刃に付着した草根や泥を除法するため刃部面に密着して上下摺動するスクレ−パを備えたスクレーパ装置を設け、前記スクレーパの上下摺動は柄の手元側に設けた遠隔操作手段により行われることを特徴とする請求項１記載の草掻き。
【請求項３】
前記スクレーパ装置は、柄の先端部分に取り付け固定された支点支持金具と、前記支点支持金具の左右の支点にそれぞれ回動自在に取り付けられたＬ字型板ばねと、上部前記Ｌ字型板ばねの水平部に前記左右の支点から所定距離の位置に上方にアーチ状に連結された力点アーチ金具と、前記Ｌ字型板ばねの下端に固着され左右のＬ字型板ばねにより刃板に押力を付与された刃部全幅と同一長さのスクレーパとにより構成され、前記スクレーパの上下摺動は前記力点アーチ金具の頂上部の上下変位により行われることを特徴とする請求項２記載の草掻き。
【請求項４】
前記遠隔操作手段は、柄の手元側に取り付け固定されたワイヤーレバーと、前記ワイヤーレバーから力点アーチ金具の頂上部までを接続したワイヤーチューブと、前記力点アーチ金具の頂上部内側と柄の間にワイヤーを貫通させて挿設したスプリングとにより構成され、前記ワイヤーチューブ内のワイヤーの両端は前記ワイヤーレバー側と柄側にそれぞれ係止され、前記ワイヤーレバーの作動に対応して前記力点アーチ金具の頂上部の上下変位を遠隔操作手段で行わせることを特徴とする請求項２記載の草掻き。